(57)【要約】【課題】  好みに応じて冷熱どちらの飲料も供給することができる自動給茶機を提供する。【解決手段】ベースと、飲料製造カップと、保温カップと、コントロールパネルとを含んでなり、底部に保温器を具えた保温カップはベースの上方に設けられ、底部に放水口を具えた飲料製造カップはベースの上の支持座の上方に設けられ、ベースには放水口が設けられ、支持座には飲料製造カップの放水口に隣接する部分に上方孔と保温カップの上方に位置する下方孔とが設けられ、上方孔と下方孔との間に電磁弁が設けられ、電磁弁とコントロールパネル上の飲料を製造する時間を選択するボタンは制御電子回路に接続し、ベース上にはポット支持ベースも設けられ、該ポット支持ベース上に底部には電熱器と温度センサーと、排水口が設けられたポットが設けられ、温度センサーとコントロールパネル上の温度制御電子回路とが接続し、排水口と飲料製造用の水を供給する放水口との間が経路を開閉する経路接続手段を介して接続される。【選択図】図１
2009000529.tif 000002
【特許請求の範囲】
【請求項１】
ベースと、飲料製造カップと、保温カップと、コントロールパネルとを含んでなり、
該保温カップは、ベースの上方に設けられ、底部に保温器を具えてなり、
該飲料製造カップがベースの上方に設けられた支持座の上方に設けられ、底部に放水口が設けられ、
該ベースには飲料製造カップに飲料製造用の水を供給する放水口が設けられ、
該支持座には飲料製造カップの放水口に隣接する部分に上方孔と下方孔とが設けられ、該上方孔と下方孔との間には電磁弁が設けられ、該電磁弁とコントロールパネル上に設けられた飲料を製造する時間を選択するボタンとは、開閉を制御する制御電子回路に電気的に接続し、該下方孔がベース上に設けられる保温カップの上方に位置し、
該ベース上にはポット支持ベースが設けられ、ポットが該ポット支持ベースの上方に設けられ、該ポットの底部には電熱器と温度センサーとが設けられ、該温度センサーとコントロールパネル上のポット内の電熱器の電源の開閉を制御する温度制御電子回路とが接続し、
該ポットの底部には排水口が設けられ、該排水口と飲料製造用の水を供給する放水口との間が経路を開閉する経路接続手段を介して接続されることを特徴とする自動給茶機。
【請求項２】
前記ポット支持ベースと、ポットは、飲料製造カップと保温カップとに隣接する側面に設けられ、経路接続手段は、ポット支持ベースの内部に設けられ、ポットの排水口に接続する進水孔と、ポンプを閉じるように制御する液体位置スイッチと、ポンプと、排水孔と、排水孔と放水口との間を接続する接続経路と、を含んでなり、水温が設定された温度に達すると作動するポンプを具えた温度制御電子回路が温度センサーとポンプに電気的に接続し、液体位置スイッチとコントロールパネル上のポットの水位を制御する液体位置制御手段とが電気的に接続することを特徴とする請求項１に記載の自動給茶機。
【請求項３】
前記温度制御電子回路が、温度センサーと、ポット支持ベースに設けられた温度センサーの電極と、該電極に接続するコントロールパネル上の温度制御手段と、ポット内に設けられた電熱器の電源を開閉するとともに、ポンプを閉じる温度制御スイッチとを含んでなることを特徴とする請求項２に記載の自動給茶機。
【請求項４】
前記保温器が、冷熱どちらも制御することができる半導体チップで、ベース上には該半導体チップに電気を供給するコネクタ電源を具えてなり、コントロールパネルが冷熱選択手段を含んでなり、該冷熱選択手段がコネクタ電源に電気的に接続するとともに、コネクタ電源のプラスとマイナス極を変換することができることを特徴とする請求項１ないし３のいずれか一に記載の自動給茶機。
【請求項５】
前記ポットが底部に電気を切断して保護する微動スイッチを具えてなることを特徴とする請求項１ないし３のいずれか一に記載の自動給茶機。
【請求項６】
前記ベースが、上方に保温カップに接触するかしないかの位置に微動スイッチを設けてなり、該微動スイッチがコネクタ電源と電磁弁に電気を供給する電子回路と直列に接続し、支持座上には飲料製造ポットに接触するかしないかの位置に微動スイッチが設けられ、該微動スイッチが電磁弁に電気を供給する電子回路と直列に接続することを特徴とする請求項１ないし３のいずれか一に記載の自動給茶機自動給茶機。
【請求項７】
前記ポット支持ベースと、支持座と放水口とが一体に成形された支持体で、接続経路が該支持体に設けられることを特徴とする請求項１ないし３のいずれか一に記載の自動給茶機。
【請求項８】
前記ポットとポット支持ベースとが飲料製造カップの上方に位置するように設けられ、経路接続手段がポット底部の排水口と、放水口と、ポットの排水口と放水口との間に設けられる電磁弁とを含んでなることを特徴とする請求項１に記載の自動給茶機。
【請求項９】
前記経路接続手段が、液体位置スイッチを含んでなり、ポット内部の水がすべて抽出されると、液体位置スイッチが水信号をコントロールパネルに送信して、飲料を製造する時間が定時に開始されることを特徴とする請求項８に記載の自動給茶機。
【発明の詳細な説明】
【技術分野】
【０００１】
この発明は、自動給茶機に関し、特に自動でお茶やコーヒーなどを入れることができる自動給茶機に関する。
【背景技術】
【０００２】
現在、コーヒーやお茶を飲むことはすでに一般的なことになっている。また、多くの人は、ボタンを操作してコーヒーやお茶を自分の好みの味に加工することができるため、お茶やコーヒーを入れることができる自動給茶機を好んで使用している。
【０００３】
しかしながら、従来の自動給茶機は、水を加熱する装置と飲料を入れる装置とが別に設けられている。よって、自動的にお茶を入れることができない。
【発明の開示】
【発明が解決しようとする課題】
【０００４】
この発明は、好みに応じて冷熱どちらの飲料も供給することができる自動給茶機を提供することを課題とする。
【課題を解決するための手段】
【０００５】
そこで本発明者は、従来の技術に鑑み鋭意研究を重ねた結果、ベースと、飲料製造カップと、保温カップと、コントロールパネルとを含んでなり、
該保温カップは、ベースの上方に設けられ、底部に保温器を具えてなり、
該飲料製造カップがベースの上方に設けられた支持座の上方に設けられ、底部に放水口が設けられ、
該ベースには飲料製造カップに飲料製造用の水を供給する給水口が設けられ、
該支持座には飲料製造カップの放水口に隣接する部分に上方孔と下方孔とが設けられ、該上方孔と下方孔との間には電磁弁が設けられ、該電磁弁とコントロールパネル上に設けられた飲料を製造する時間を選択するボタンとは、開閉を制御する制御電子回路に電気的に接続し、該下方孔がベース上に設けられる保温カップの上方に位置し、
該ベース上にはポット支持ベースが設けられ、ポットが該ポット支持ベースの上方に設けられ、該ポットの底部には電熱器と温度センサーとが設けられ、該温度センサーとコントロールパネル上のポット内の電熱器の電源の開閉を制御する温度制御電子回路とが接続し、
該ポットの底部には排水口が設けられ、該排水口と飲料製造用の水を供給する放水口との間が経路を開閉する経路接続手段を介して接続される自動給茶機の構造によって課題を解決できる点に着眼し、係る知見に基づき本発明を完成させた。
以下、この発明について具体的に説明する。
【０００６】
請求項１に記載する自動給茶機は、ベースと、飲料製造カップと、保温カップと、コントロールパネルとを含んでなり、
該保温カップは、ベースの上方に設けられ、底部に保温器を具えてなり、
該飲料製造カップがベースの上方に設けられた支持座の上方に設けられ、底部に放水口が設けられ、
該ベースには飲料製造カップに飲料製造用の水を供給する給水口が設けられ、
該支持座には飲料製造カップの放水口に隣接する部分に上方孔と下方孔とが設けられ、該上方孔と下方孔との間には電磁弁が設けられ、該電磁弁とコントロールパネル上に設けられた飲料を製造する時間を選択するボタンとは、開閉を制御する制御電子回路に電気的に接続し、該下方孔がベース上に設けられる保温カップの上方に位置し、
該ベース上にはポット支持ベースが設けられ、ポットが該ポット支持ベースの上方に設けられ、該ポットの底部には電熱器と温度センサーとが設けられ、該温度センサーとコントロールパネル上のポット内の電熱器の電源の開閉を制御する温度制御電子回路とが接続し、
該ポットの底部には排水口が設けられ、該排水口と飲料製造用の水を供給する放水口との間が経路を開閉する経路接続手段を介して接続される。
【０００７】
請求項２に記載の自動給茶機は、請求項１におけるポット支持ベースと、ポットは、飲料製造カップと保温カップとに隣接する側面に設けられ、経路接続手段は、ポット支持ベースの内部に設けられ、ポットの排水口に接続する進水孔と、ポンプを閉じるように制御する液体位置スイッチと、ポンプと、排水孔と、排水孔と放水口との間を接続する接続経路と、を含んでなり、水温が設定された温度に達すると作動するポンプを具えた温度制御電子回路が温度センサーとポンプに電気的に接続し、液体位置スイッチとコントロールパネル上のポットの水位を制御手段とが電気的に接続する。
【０００８】
請求項３に記載の自動給茶機は、請求項２における温度制御電子回路が、温度センサーと、ポット支持ベースに設けられた温度センサーの電極と、該電極に接続するコントロールパネル上の温度制御手段と、ポット内に設けられた電熱器の電源を開閉するとともに、ポンプを閉じる温度制御スイッチとを含んでなる。
【０００９】
請求項４に記載の自動給茶機は、請求項１ないし３のいずれか一における保温器が、冷熱どちらも制御することができる半導体チップで、ベース上には該半導体チップに電気を供給するコネクタ電源を具えてなり、コントロールパネルが冷熱選択手段を含んでなり、該冷熱選択手段がコネクタ電源に電気的に接続するとともに、コネクタ電源のプラスとマイナス極を変換することができる。
【００１０】
請求項５に記載の自動給茶機は、請求項１ないし３のいずれか一におけるポットが底部に電気を切断して保護する微動スイッチを具えてなる。
【００１１】
請求項６に記載の自動給茶機は、請求項１ないし３のいずれか一におけるベースが、上方に保温カップに接触するかしないかの位置に微動スイッチを設けてなり、該微動スイッチがコネクタ電源と電磁弁に電気を供給する電子回路と直列に接続し、支持座上には飲料製造ポットに接触するかしないかの位置に微動スイッチが設けられ、該微動スイッチが電磁弁に電気を供給する電子回路と直列に接続する。
【００１２】
請求項７に記載の自動給茶機は、請求項１ないし３のいずれか一におけるポット支持ベースと、支持座と放水口とが一体に成形された支持体で、接続経路が該支持体に設けられる。
【００１３】
請求項８に記載の自動給茶機は、請求項１におけるポットとポット支持ベースとが飲料製造カップの上方に位置するように設けられ、経路接続手段がポット底部の排水口と、放水口と、ポットの排水口と放水口との間に設けられる電磁弁とを含んでなる。
【００１４】
請求項９に記載の自動給茶機は、請求項８における経路接続手段が、液体位置スイッチを含んでなり、ポット内部の水がすべて抽出されると、液体位置スイッチが水信号をコントロールパネルに送信して、飲料を製造する時間が定時に開始される。
【発明の効果】
【００１５】
この発明の自動給茶機は、構造が簡単なため、製造コストを低減でき、好みに応じて冷熱どちらの飲料も供給することができるという効果を有する。
【発明を実施するための最良の形態】
【００１６】
この発明は、好みに応じて冷熱どちらの飲料も供給することができる自動給茶機であって、ベースと、飲料製造カップと、保温カップと、コントロールパネルとを含んでなり、
該保温カップは、ベースの上方に設けられ、底部に保温器を具えてなり、
該飲料製造カップがベースの上方に設けられた支持座の上方に設けられ、底部に放水口が設けられ、
該ベースには飲料製造カップに飲料製造用の水を供給する給水口が設けられ、
該支持座には飲料製造カップの放水口に隣接する部分に上方孔と下方孔とが設けられ、該上方孔と下方孔との間には電磁弁が設けられ、該電磁弁とコントロールパネル上に設けられた飲料を製造する時間を選択するボタンとは、開閉を制御する制御電子回路に電気的に接続し、該下方孔がベース上に設けられる保温カップの上方に位置し、
該ベース上にはポット支持ベースが設けられ、ポットが該ポット支持ベースの上方に設けられ、該ポットの底部には電熱器と温度センサーとが設けられ、該温度センサーとコントロールパネル上のポット内の電熱器の電源の開閉を制御する温度制御電子回路とが接続し、
該ポットの底部には排水口が設けられ、該排水口と飲料製造用の水を供給する放水口との間が経路を開閉する経路接続手段を介して接続される。
係る構成の自動給茶機について、その構造と特徴を詳述するために具体的な実施例を挙げ、以下に説明する。
【実施例】
【００１７】
図１、２は、この発明の自動給茶機を示したものである。図面によれば、この発明の自動給茶機は、ベース１０と、飲料製造カップ３０と、保温カップ４０と、コントロールパネル８０とを含んでなる。
【００１８】
該保温カップ４０はベース１０上に設けられ、該飲料製造カップ３０は、ベース１０上に設けられた支持座７０の上に設けられる。
【００１９】
該ベース１０上には、飲料製造カップ３０に飲料製造用の水を供給する放水口１３も設けられる。
【００２０】
該保温カップ４０は底部に保温器４１が設けられる。該飲料製造カップ３０は底部に放水口３１が設けられる。該飲料製造カップ３０と保温カップ４０との間に位置する支持座７０の内部には飲料製造カップ３０の放水口３１に接続する部分に上方孔７１と下方孔７２とが設けられる。
【００２１】
該上方孔７１と下方孔７２との間には電磁弁７３が設けられる。該電磁弁７３と、コントロールパネル８０上に設けられた飲料を製造する時間を選択することができるボタン８２とは、その開閉を制御する電子回路の電気的な接続を制御することができる。
【００２２】
該下方孔７２は、ベース１０上の保温カップ４０の上方に位置する。
【００２３】
該ベース１０上にはポット支持ベース５０も設けられる。該ポット２０は、ポット支持ベー５０の上に設けられ、該ポット２０の底部には電熱器２１と温度センサー２４とが設けられる。
【００２４】
該温度センサー２４とコントロールパネル８０上のポット２０内の電熱器２１の電源の開閉を制御する温度制御電子回路とが接続する。
【００２５】
該ポット２０は底部に排水口２２が設けられる。該排水口２２と飲料製造用の水を供給する放水口１３との間は、経路の開閉を制御する経路接続手段に接続する。
【００２６】
該ポット支持ベース５０と、ポット２０は飲料製造カップ３０と保温カップ４０に隣接する側面に設けられる。
【００２７】
該経路接続手段は、ポット支持ベース５０の内部に設けられ、ポット２０の排水口２２に接続する進水孔１１と、ポンプ６０を閉じるように制御する液体位置スイッチ５３と、ポンプ６０と、排水孔１２と、該排水孔１２と放水口１３との間を接続する接続経路１４と、を含んでなる。
【００２８】
温度制御電子回路は、適宜な温度に達するとポンプ６０を作動させるとともに、温度センサー２４と、ポンプ６０とにそれぞれ電気的に接続する。
【００２９】
液体位置スイッチ５３と、コントロールパネル８０上のポット２０の液体の位置を制御する液体位置制御手段とは、電気的に接続する。
【００３０】
温度制御電子回路は、温度センサー２４と、ポット支持ベース５０に接続して設けられる温度センサー２４の電極５１と、該電極５１に接続するコントロールパネル８０上の温度制御手段８１と、ポット２０の内部に設けられる電熱器２１の電源の開閉を制御するとともに、ポンプ６０の作用を閉じる温度制御スイッチ５２と、を含んでなる。
【００３１】
保温器４１は、冷たさや熱さを制御する半導体チップである。該ベース１０上には半導体チップに電気を供給するコネクタ電源４２が設けられる。
【００３２】
コントロールパネル８０は、冷熱選択手段８３を含んでなる。該冷熱選択手段８３は、コネクタ電源４２に電気的に接続し、コネクタ電源４２のプラス、マイナス極を変換する。
【００３３】
ポット２０の底部には電気を切断して保護する微動スイッチ５４が設けられる。ベース１０上には保温カップ４０に接触するかしないかの位置に微動スイッチＢが設けられる。
【００３４】
該微動スイッチＢにはコネクタ電源４２と、電磁弁７３の電気供給する電子回路に直列に接続する。
【００３５】
該支持座７０は、飲料製造カップ３０が微動スイッチＡに接触するかしないかの位置に設けられる。該微動スイッチＡは、電磁弁７３に電気を供給する電子回路に直列に接続する。
【００３６】
ポット支持ベース５０と、支持座７０と、放水口１３とは一体に成形された支持体であって、接続経路１４は支持体に設けられる。
【００３７】
図３は、この発明の他の実施形態を示したものである。図面によれば、ポット２０と、ポット支持ベース５０は、飲料製造カップ３０の上方に設けられる。
【００３８】
経路接続手段は、ポット２０の底部の排水口２２と、放水口２３と、ポット２０の排水口２２と放水口１３との間に設けられた電磁弁１６とを含んでなる。
【００３９】
経路接続手段は、液体位置スイッチ５３も含んでなる。該ポット２０は内部の水がたまると、液体位置スイッチ５３が水信号をコントロールパネル８０に伝送し、飲料製造時間が定時に開始される。
【００４０】
使用する場合、図１、２に開示するように、ポンプ６０を進水孔１１と、排水孔１２に外部接続する。
【００４１】
ポット２０内部の水の水温が設定した温度に達すると、電熱器２１の電源が切れるとともに、ポンプ６０がポット２０内部の水を抽出する。
【００４２】
温水が飲料製造カップ３０に入れられて飲料が製造される。該飲料製造カップ３０に製造された飲料が上方孔７１と、下方孔７２を通して流出されて、保温カップ４０に注がれて保温される。
【００４３】
温度制御スイッチ５２が操作パネルの温度調節ボタン８１を制御して、調整してポット２０内の水温を設定する。
【００４４】
ポット２０内部の水がすべて抽出されると、ポット支持ベース５０の液体位置スイッチ５３がすぐにポンプ６０が水を抽出する操作を停止させる。
【００４５】
支持座７０の電磁弁７３と、操作パネルの定時ボタン８２及びタイマーとは互いに接続して設けられる。該定時ボタン８２とタイマーを選択して、電磁弁７３を開く時間を制御することができる。
【００４６】
よって、飲料製造カップ３０と保温カップ４０との間の水管を通して放水するように制御することができるため、飲料を製造する時間を制御することができる。
【００４７】
保温カップ４０は底面が半導体の冷熱制御チップから形成された保温器４１であって、該保温器４１のコネクタ電源と操作パネルの冷熱選択スイッチ８３とが互いに接続する。
【００４８】
よって、電源のプラスとマイナスを変換することにより、冷たさと温かさのどちらを制御するかを変えることができる。
【００４９】
飲料製造カップ３０とコーヒーポット支持体とに隣接する側面に微動スイッチが設けられる。
【００５０】
よって、飲料製造カップ３０をコーヒーポットから外すと、微動スイッチＡがポンプ６０の電気を切断して水の抽出を停止する。
【００５１】
保温カップ４０とコーヒーポット支持体とに隣接する側面に微動スイッチＢが設けられる。
【００５２】
よって、保温カップ４０をコーヒーポットから外すと、微動スイッチＢが飲料製造カップ３０の支持座７０内の電磁弁７３を閉じるように制御して入れたてのコーヒーが保温カップ４０の中にもれないようにすることができる。
【００５３】
図３は、この発明の他の実施形態を示したものである。図面によれば、ポット２０は、飲料製造カップ３０の上方に設けられる。よって、ポット２０、飲料製造カップ３０、保温カップ４０とが順に上、中、下に設けられる。
【００５４】
ポットの内部水を十分に入れたら、上蓋２を閉じて、電源をオンにする。コントロールパネル８０上で飲料を製造する時間と保温温度などを設定する。
【００５５】
作動すると、加熱器２１が加熱を開始してポット２０内の水温が設定された温度なると、温度制御手段２４が電磁弁１６を開くように制御する。熱水が放水口１３から飲料製造カップ３０内に入り、飲料が製造される。
【００５６】
ポット２０内部の水がすべて抽出されると、液体位置スイッチ５３が水の位置を知らせる信号をコントロールパネル８０に送信する。
【００５７】
飲料が製造されて、飲料が製造されると、コントロールパネル８０が電磁弁７３を開くように制御して、製造された飲料が放水口７２から保温カップ４０に流入して、保温される。
【００５８】
飲料製造カップ内の温度が設定された温度よりも低い場合、温度制御手段７５が加熱器７４を加熱するように制御して製造された飲料が半導体冷熱チップ４１で保温される。
【００５９】
また、ポット２０と、飲料製造カップ３０と、保温カップ４０とはそれぞれ下方に微動スイッチＡ、微動スイッチＢ、微動スイッチＣが設けられている。
【００６０】
このため、ポット２０、飲料製造カップ３０、保温カップ４０が外れると、微動スイッチに接触して電機が切断される。よって、使用上の安全性が保障される。
【００６１】
上述の実施形態では、飲料の製造に二段式の噴射方法を使用する。
【００６２】
ポット２０の水温が設定された温度に達すると、温度センサー２４が電磁弁１６を開くように制御して温水が排水口２２から流出する。
【００６３】
該温水はポット支持ベース５０の放水口１３から飲料製造カップ３０に噴射される。設定された時間内に水が噴射された後、電磁弁１６が閉じられ、一時的に水の噴射が停止される。
【００６４】
次に少量の水と粉状の飲料を完全に混ぜ合わせて、粉状の飲料を必要な程度に膨張させる。
【００６５】
このため、二段式の噴水制御手段は、粉状の飲料の量により第一段階での噴水時間の長さを調整する。
【００６６】
一時的に噴射が停止された後、４０秒ほど過ぎると、電磁弁１６が開いてポット２０内に残っている水が再び飲料製造カップ３０の内部に噴射される。
【００６７】
この発明は、一段式の噴射方法を使用してもよい。ポット２０の水温が設定された温度に達すると、ポット支持ベース５０の電磁弁１６が開いて、温水が排水口を介してポット支持ベース５０の放水口１３から飲料製造カップ３０へ噴射される。
【００６８】
上述のように、この発明の自動給茶機は、自動的に水を加熱し、飲料を製造し、保温することができるとともに、構造にすきがなく、便利、簡単で、水流の動力手段を具えている。
【００６９】
よって、内部の水流を自動化することができて、飲料製造と、熱加工の自動化を推進するとともに、冷熱両方の飲料を製造することができるため、使用者の快適性を高めることができる。
【００７０】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００７１】
【図１】この発明の自動給茶機を示した断面図である。
【図２】この発明の自動給茶機のコントロールパネルを示した平面図である。
【図３】この発明の自動給茶機の他の実施形態を示した断面図である。
【符号の説明】
【００７２】
１０     ベース
１１     進水孔
１２     排水孔
１３     放水口
１４     接続経路
１６     電磁弁
２       上蓋
２０     ポット
２１     加熱器
２２     排水口
２３     放水口
２４     温度センサー
３０     飲料製造カップ
３１     放水口
４０     保温カップ
４１     保温器
４２     電源
５０     ポット支持ベース
５１     電極
５２     温度制御スイッチ
５３     液体位置スイッチ
５４     微動スイッチ
６０     ポンプ
７０     支持座
７１     上方孔
７２     放水口
７３     電磁弁
７４     加熱器
７５     温度制御手段
８０     コントロールパネル
８１     温度調節ボタン
８２     定時ボタン
８３     冷熱選択手段
Ａ、Ｂ、Ｃ     微動スイッチ
【図１】
2009000529.tif 000003
【図２】
2009000529.tif 000004
【図３】
2009000529.tif 000005